(57)【特許請求の範囲】
【請求項１】
心臓の心室内に収まる略椀状の心室患部補綴具であって、
収縮・弛緩が可能であるスプリング材で形成され、心臓の収縮・弛緩に従動して少なくとも椀内径方向に収縮・弛緩が可能である椀状部材と、
前記スプリング材の外壁面の少なくとも一部を覆い、前記スプリング材の収縮・弛緩に従動して収縮・弛緩が可能である布状部材と、
前記椀状部材を前記心臓の心室内に固定する複数の固定部材と、
前記椀状部材における前記固定部材の挿通のための複数の小孔を備え、
前記固定部材の少なくとも１つが糸状部材であり、その一端を前記椀状部材の外壁面に固定し、他端を前記椀状部材の外壁面に沿わせつつ１つの前記小孔を挿通させて前記椀状部材の内部に導き入れ、さらに、他の前記小孔から再び外部に導き出して前記心臓の心室に固定せしめ、前記複数の固定部材の固定によって前記椀状部材の姿勢を整えて前記心臓の心室に留置し、前記心臓の心室の患部を塞ぐように留置せしめる心室患部補綴具。
【請求項２】
請求項１に記載の心室患部補綴具と、
前記心臓の心室内への貫通路を確保する管状補助具を備え、
前記椀状部材が前記管状補助具の内腔を通過する大きさにまで椀内径方向に収縮可能であり、
前記管状補助具を、開口の一端が前記心臓の外側、他端が心室内となるように前記心臓に対して挿通または穿通し、
前記椀状部材を前記管状補助具の内腔を通過しうる大きさにまで椀内径方向に収縮させつつ、前記管状補助具の開口の一端より通し入れることにより通過させて前記椀状部材を前記心室内へ導き、前記開口の他端を通過後に前記椀状部材を前記心臓の心室内に収まる略椀状に復元し、前記心臓の心室内に留置せしめることを特徴とする心室患部補綴具治療セット。
【請求項３】
前記管状補助具が、逆流防止弁を備え、前記心臓の心室内へ貫通しても血液が前記心臓の心室内から逆流しないものとした、請求項２に記載の心室患部補綴具治療セット。
【発明の詳細な説明】
【技術分野】
【０００１】
本発明は、心停止を伴わず、かつ心筋を切開することなく心室患部に開いた孔を処置することを可能とする、心室患部補綴具および心室患部補綴具治療セットおよびその留置方法に関するものである。
ここで、心室患部に開いた孔とは、代表的には心室中隔穿孔や心室自由壁破裂による破裂孔などが挙げられる。
心室中隔穿孔とは、壊死に陥った心室中隔が穿孔し、左心室と右心室の短絡路が生じている疾病である。早期に心室中隔穿孔の閉鎖術を必要とする重篤な疾病とされている。
心室自由壁破裂とは、心室中隔穿孔と並び、急性心筋梗塞症の重篤な合併症の一つであり、左心室または右心室の心室壁が破裂することをいう。主に心筋梗塞により心筋壊死が起こり、壊死部分に亀裂が生じやがて破裂する。心室自由壁破裂が起こると、破裂部分から血液が漏れ、血圧が急速に低下し、死亡することがある。
本発明の心室患部補綴具とは、上記の心室中隔穿孔や心室自由壁破裂による破裂孔を塞ぐための補綴具である。
【背景技術】
【０００２】
従来技術において、急性心筋梗塞後の心室中隔穿孔（Ventricular septal perforation）または心室中隔破裂（Ventricular septal rupture）の手術術式として、壊死心筋を切除した後に、切除部位をパッチによって再建する、いわゆるＤａｇｅｔｔ法が基本術式としてひろく施行されてきた（非特許文献１、２参照）。また、最近では、壊死心筋を切除しない、いわゆるＫｏｍｅｄａ−Ｄａｖｉｄ法として心膜パッチを用いた左室形成術（Endocardial patch repair with infarct exclusion）がよく行われる（非特許文献３）。
【０００３】
上記従来のＤａｇｅｔｔ法、Ｋｏｍｅｄａ−Ｄａｖｉｄ法のいずれの術式においても、胸骨正中切開にて縦隔開胸を行い、人工心肺装置を用いて血液を体外循環させ、心停止を伴う術式である。心室壁に縦方向に切開を加え、前乳頭筋、後乳頭筋を確認しつつ中隔後壁側の健常と思われる部分から心膜パッチを連続縫合して行く。
従来施行されてきたＤａｇｅｔｔ法は壊死心筋を切除した後、切除部位をパッチにて再建するものである。
これに対してＫｏｍｅｄａ−Ｄａｖｉｄ法は壊死心筋を切除しない術式であり、右室心筋が温存されることにより右室機能が保たれ、また左室心筋が温存されることにより左室容積が保たれるとされている。
【０００４】
【非特許文献１】Ｄａｇｅｔｔ ら、Ａｎｎ Ｓｕｒｇ、１９６ ： ２６９、１９８２
【非特許文献２】Ｄａｇｅｔｔ ら、Ｊ Ｔｈｏｒａｃ Ｃａｒｄｉｏｖａｓｃ Ｓｕｒｇ ８４、３０６、１９８２
【非特許文献３】Ｋｏｍｅｄａら、Ｃｉｒｃｕｌａｔｉｏｎ ８２ （Ｓｕｐｐｌｅ ＩＶ）２４２、１９９０
【発明の開示】
【発明が解決しようとする課題】
【０００５】
上記の従来技術におけるＤａｇｅｔｔ法による術式では、壊死心筋の切除を伴うため、本来は切除すべきでない正常心筋組織まで誤って切除されるおそれがあるという問題があった。また、左室切開部が高圧の左心系に曝されているため、出血の制御に注意が必要である、という問題もあった。
【０００６】
これに対しＫｏｍｅｄａ−Ｄａｖｉｄ法は壊死心筋を切除しないため、右室心筋が温存され右室機能が保たれ、心筋を切除しないため機能回復による壁運動の改善が期待できる。また左室心筋も切除しないため左室容積が保たれるメリットがある。また、Ｄａｇｅｔｔ法の問題点とされていた出血についてもＫｏｍｅｄａ−Ｄａｖｉｄ法では左室切開部の内側にパッチがあたり、低圧の右心系となるため出血が軽減できるメリットがある。
【０００７】
しかし、Ｋｏｍｅｄａ−Ｄａｖｉｄ法においても、心配停止装置を用いた血液の体外循環および心筋の切開を伴うため患者への侵襲度が高いという問題があった。心筋の切開は左室長軸全長の２／３程度に及ぶとされている。この侵襲度が高いという点はＤａｇｅｔｔ法であってもＫｏｍｅｄａ−Ｄａｖｉｄ法であっても患者負荷を考えれば大きな問題であることには変わりはない。手術後の死亡率が高い傾向にあると言われている。
また、Ｄａｇｅｔｔ法であってもＫｏｍｅｄａ−Ｄａｖｉｄ法であっても、壊死心筋組織は正常組織に比べ構造が不安定になっているため、心膜パッチを縫い付ける作業は熟練を必要とする非常に難しい手技であるという問題があった。
【０００８】
上記問題点に鑑み、本発明は、心配停止装置を用いた血液の体外循環および心筋の切開を伴わない低侵襲な方法にて心室中隔穿孔や心室自由壁破裂孔を補綴することができる心室患部補綴具を提供することを目的とする。
また、本発明は、上記の心室患部補綴具を低侵襲かつ簡単な手技により心臓の心室中隔穿孔や心室自由壁破裂孔を塞ぐように心室患部補綴具を留置せしめる心室患部補綴具治療セットを提供することを目的とする。
【課題を解決するための手段】
【０００９】
上記目的を達成するため、本発明の心室患部補綴具は、
心臓の心室内に収まる略椀状の心室患部補綴具であって、
収縮・弛緩が可能であるスプリング材で形成され、心臓の収縮・弛緩に従動して少なくとも椀内径方向に収縮・弛緩が可能である椀状部材と、
前記スプリング材の外壁面の少なくとも一部を覆い、前記スプリング材の収縮・弛緩に従動して収縮・弛緩が可能である布状部材と、
前記椀状部材を前記心臓の心室内に固定する複数の固定部材と、
前記椀状部材における前記固定部材の挿通のための複数の小孔を備え、
前記固定部材の少なくとも１つが糸状部材であり、その一端を前記椀状部材の外壁面に固定し、他端を前記椀状部材の外壁面に沿わせつつ１つの前記小孔を挿通させて前記椀状部材の内部に導き入れ、さらに、他の前記小孔から再び外部に導き出して前記心臓の心室に固定せしめ、前記複数の固定部材の固定によって前記椀状部材の姿勢を整えて前記心臓の心室に留置し、前記心臓の心室の患部を塞ぐように留置せしめる心室患部補綴具である。
上記構成により、当該布状部材によって心室中隔穿孔や心室自由壁破裂孔などの患部をより確実に塞ぐことができる。本発明の心室患部補綴具は、従来の心膜パッチのようなものを患部に縫合して心室中隔穿孔や心室自由壁破裂孔を閉鎖するという術式ではなく、椀状部材の外壁面にて心室中隔穿孔や心室自由壁破裂孔などの患部を塞ぐように留置せしめて固定することができ、低侵襲な方法にて患部を補綴することができる。なお、本発明の心室患部補綴具は、疾病に合わせて右心室、左心室のどちらの心室でも留置可能である。自由壁破壊は左心室に留置するケースも右心室に留置するケースもあるが、心室中隔穿孔は主に左心室に留置することが多く想定される。
本発明の心室患部補綴具を用いた術式は、従来にはまったくない新しい概念の低侵襲の補綴術式であり、このような補綴具を開示した例はない。
【００１２】
なお、前記固定部材の少なくとも１つは糸状部材であることが好ましい。
心室患部補綴具を固定する固定部材はアンカーやフックなどの機械的な機構部品のほか、人体に負荷の小さい糸状部材を固定部材として使用することにより心室内に留置することができる。
【００１３】
次に、本発明の心室患部補綴具治療セットは、
上記した本発明の心室患部補綴具と前記心臓の心室内への貫通路を確保する管状補助具を備え、
前記椀状部材が前記管状補助具の内腔を通過する大きさにまで椀内径方向に収縮可能であり、
前記管状補助具を、開口の一端が前記心臓の外側、他端が心室内となるように前記心臓に対して挿通または穿通し、
前記椀状部材を前記管状補助具の内腔を通過しうる大きさにまで椀内径方向に収縮させつつ、前記管状補助具の開口の一端より通し入れることにより通過させて前記椀状部材を前記心室内へ導き、前記開口の他端を通過後に前記椀状部材を前記心臓の心室内に収まる略椀状に復元し、前記心臓の心室内に留置せしめるものである。
【００１４】
なお、前記管状補助具が、逆流防止弁を備え、前記心臓の心室内へ貫通しても血液が前記心臓の心室内から逆流しないものであることが好ましい。
上記構成により、本発明の心室患部補綴具を、管状補助具を用いつつ、低侵襲かつ簡単な手技により心臓の心室中隔穿孔を塞ぐように留置せしめることが可能となる。
【００１５】
次に、本発明の心室患部補綴具の第１の留置方法は、
上記した本発明の心室患部補綴具を、前記椀状部材の外壁面で前記心臓の心室壁を覆って前記心臓の心室に開いた孔を塞ぐように前記心臓の心室内に留置せしめる方法であって、
前記管状補助具を、開口の一端が前記心臓の外側、開口の他端が心室内となるように前記心臓に対して挿通または穿通し、
前記椀状部材を前記管状補助具の内腔を通過しうる大きさにまで椀内径方向に収縮させつつ、前記管状補助具の開口の一端より通し入れることにより通過させて前記椀状部材を前記心室内へ導き、前記開口の他端を通過後に前記椀状部材を前記心臓の心室内に収まる略椀状に復元し、前記心臓の心室内に留置せしめる手順による方法である。
【００１６】
ここで、前記管状補助具の開口の他端を前記心臓の心室内へ挿通する手順が、前記心臓の心尖部の外壁からガイドワイヤーを心室内部に通し入れて行き、前記ガイドワイヤーの先端を上行大動脈に設けたポートから外部に導き出す手順と、前記ガイドワイヤーの先端を前記管状補助具の開口の他端から通し入れ、前記管状補助具の開口の他端を前記ガイドワイヤーに沿わせつつ前記ポートを介して前記心臓の内部に導き前記心尖部付近に位置するように導く手順とすることが好ましい。
【００１７】
また、前記椀状部材を前記心臓の心室内へ導く手順が、前記ガイドワイヤーの先端を前記固定具に結びつけ、前記ガイドワイヤーを前記心尖部側から引き抜いて行くことにより、前記ガイドワイヤーの先端に結び付けられている前記固定具と前記固定具が取り付けられている前記椀状部材を引っ張って前記心室内へ導く手順であることが好ましい。
上記手順により、本発明の心室患部補綴具を低侵襲な方法にて心室内に留置することができる。
【００１８】
次に、本発明の心室患部補綴具の第２の留置方法は、
上記した本発明の心室患部補綴具を、前記椀状部材の外壁面で前記心臓の心室壁を覆って前記心臓の心室に開いた孔を塞ぐように前記心臓の心室内に留置せしめる方法であって、
管状の管状補助具に対して、前記椀状部材を前記管状補助具の内腔を通過しうる大きさにまで椀内径方向に収縮させつつ、前記管状補助具の開口の一端より他端まで通し入れておき、
前記管状補助具を、開口の一端が前記心臓の外側、開口の他端が心室内となるように前記心臓に対して挿通または穿通し、
前記管状補助具の一端に位置している前記椀状部材を前記管状補助具から前記心室内へ導き入れ、前記椀状部材を前記心臓の心室内に収まる略椀状に復元し、前記複数の固定部材を用いて前記心臓の心室内に留置せしめる手順による方法である。
【００１９】
なお、上記心室患部補綴具の第２の留置方法において、前記椀状部材を含む前記管状補助具を前記心臓の左心室内へ挿通する手順が、前記心臓の左室心尖部の外壁からガイドワイヤーを左心室内部に通し入れて行き、前記ガイドワイヤーの先端を上行大動脈に設けたポートから外部に導き出す手順と、椀状部材１０に取り付けられている固定部材と前記ガイドワイヤーを結びつける手順と、前記ガイドワイヤーを前記左室心尖部側から引き抜いて行くことにより、前記ポートを介して前記ガイドワイヤーが結び付けられている前記固定具と前記固定具が取り付けられている前記椀状部材を引っ張って前記左心室内へ導く手順であることが好ましい。
上記手順によっても本発明の心室患部補綴具を低侵襲な方法にて心室内に留置することができる。
【発明の効果】
【００２０】
本発明にかかる心室中隔穿孔や心室自由壁破裂孔を塞ぐための補綴具およびその患部への導入のための管状補助具は、従来の手術方法に比べ、侵襲度が低く、簡単な手技にて、かつ手術後の高い生存率を示す手術方法を提供することができる。
【発明を実施するための最良の形態】
【００２１】
以下、本発明の心室患部補綴具および補綴具セットを添付図面に示す好適実施例に基づいて詳細に説明する。なお、本発明はこれらの実施例に限定されるものではない。
【実施例１】
【００２２】
実施例１にかかる心室患部補綴具として、心室内に留置する心室患部補綴具の構成を一例として添付の図面を参照しながら具体的に説明する。
実施例１にかかる本発明の心室患部補綴具は、心臓の心室内に収まる略椀状の椀状部材と、椀状部材を前記心臓の心室内に固定する固定部材を備え、椀状部材の固定状態において椀状部材の外壁面で前記心臓の心室壁を覆うことにより心臓の心室中隔穿孔や心室自由壁破裂孔などの患部を塞ぐように留置せしめたものである。
心室中隔穿孔とは、壊死に陥った心室中隔が穿孔し、左心室と右心室の短絡路が生じている疾病である。心室自由壁破裂とは、心室中隔穿孔と並び、急性心筋梗塞症の重篤な合併症の一つであり、左心室または右心室の心室壁が破裂することをいう。本発明の心室患部補綴具とは、上記の心室中隔穿孔や心室自由壁破裂による破裂孔を塞ぐための補綴具である。
以下、心室患部として心室中隔穿孔を例に説明する。なお、心室自由壁破裂孔の場合にも同様に本発明を適用することができる。
【００２３】
図１は、本発明の実施例１にかかる心室患部補綴具の構成例を示す図である。図１（ａ）は側面図、図１（ｂ）は正面図を示している。
【００２４】
図１に示すように、本発明の心室患部補綴具は、椀状部材１０と、椀状部材１０に取り付けられた固定部材２０を備えている。
以下、図１において椀状部材１０の左側、つまり椀の閉塞している底側を「底部」、椀状部材１０の右側、つまり椀の開放している縁側を「上部」と呼ぶ。
椀状部材１０の上部の直径は限定されないが、患者の心室に収まる補綴具であるので、例えば５０〜９０ｍｍ程度が好ましい。また、上部から底部までの長さも限定されないが、患者の心室に収まる補綴具であるので、例えば、３０〜７０ｍｍ程度が好ましい。
【００２５】
図２は、左右対称形ではない椀状部材１０ａの構成例を示した図である。図２（ａ）は側面図、図２（ｂ）は正面図となっている。図２に示すように椀状部材の形状はかならずしも左右対称形でなくとも良い。つまり、底部から上縁までの距離は特に揃える必要はなく、椀状部材１０の留置位置の周囲の状況に応じて決めれば良い。心室中隔穿孔を補綴するべく心室内に留置する際にその留置位置周囲の心室中隔穿孔と乳頭筋との位置関係によっては椀状部材１０ａが乳頭筋に接触し留置が困難な場合もありうる。そのような場合においては、椀状部材１０ａの形状として乳頭筋の近傍に位置する辺の距離を短くすれば、椀状部材１０ａと乳頭筋との接触を回避することができる。
【００２６】
椀状部材１０の底部から上縁までの距離は、心室中隔穿孔を塞ぐことができる長さであればよい。心室中隔穿孔は心室中隔の任意の箇所において生じうる。また、椀状部材１０はその底部がほぼ心尖部に位置するよう留置される。したがって、少なくとも椀状部材１０の底部から上縁までの距離のうち最長のものが、心尖部より心室中隔の上端までの距離と等しければ、全ての症例において心室中隔穿孔を塞ぎうる。心尖部より心室中隔の上端までの距離は成人の場合およそ４０ｍｍ〜６０ｍｍである。なお、椀状部材１０の底部から上縁までの距離のうち最長のものが異なっている複数種類の本発明に係る心室患部補綴具をあらかじめ用意しておき、心室中隔穿孔の位置によってこれらを適宜取捨選択し使い分けてもよい。
【００２７】
椀状部材１０の素材は限定されないが、例えば人工血管に一般的に用いられるものが好ましい。例えば、飽和ポリエステルの一種であるポリエチレンテレフタレート（ＰＥＴ、ダクロンまたはテトロン等）、ポリ四フッ化エチレン（ＰＴＦＥ）、延伸ポリ四フッ化エチレン（ｅＰＴＦＥ：expanded polytetrafluoroethylene）およびポリウレタン等の各種樹脂材料、さらには、これらのうちの２種以上を組合せたもの等が挙げられる。
【００２８】
椀状部材１０の構造は、椀状形状を形成できる構造であれば良いが、例えば、人工血管に一般的に用いられるものが好適である。例えば、繊維状の素材をメリヤス編もしくは平織したもの、または多孔質構造が挙げられる。
【００２９】
固定部材２０は、椀状部材１０を心室壁へ固定することができれば良いが、例えば、糸状部材が挙げられる。糸状部材の本数は、特に限定されず、例えば１〜４本程度で良い。糸状部材の素材は特に限定されないが、例えば、手術用に一般的に使用されるものが好適である。例えば、ナイロン等が挙げられる。糸状部材を使用する場合、椀状部材１０の心室壁への固定は、通常手術の際に行われる手段を用い、心室壁へと糸状部材を結びつけることによって行われる。椀状部材の異なる位置に取り付けられた糸状の固定部材２０が複数本あれば、当該糸状部材をそれぞれ適宜引っ張ることにより椀状部材１０の形状を適宜整えることができ、心室内への留置をより確実にできる。椀状部材の水平断面上の均一に離間した４点に配設された糸状部材が４本あると、必要に応じて水平４方向それぞれにおいて椀状部材の形状を整えることができる。
【００３０】
固定部材２０の配設位置は、椀状部材１０のどの部分であっても良いが、図１の例では、椀状部材１０の底部に４本の糸状の固定部材２０が配設されている。椀状部材１０の底部から外側に向けて延びている４本の糸状の固定部材２０は、椀状部材１０が心室内に留置された状態で心室壁に結わえ付けて椀状部材１０を固定する。
なお、この構成例では４本の糸状の固定部材２０は、椀状部材１０の底部近傍に設けられた２つの開口部を２度貫通して椀状部材の外表面に沿って椀外の上縁やや下まで延設されている。これは糸状の固定部材２０をそれぞれ適宜引っ張ることにより椀状部材１０の形状を適宜整えることができるようにする工夫である。
【００３１】
なお、椀状部材１０において、底部に固定部材２０を挿通しうる小孔１４が設けられていてもよい。このような小孔１４が設けられていると、固定部材２０による椀状部材１０の姿勢制御を行いやすく心室壁への固定がより容易となる。
【００３２】
図３は、図１に示した椀状部材１０の底部に固定部材２０を挿通しうる小孔１４が設けられている構成例を示す図である。図３の構成例では小孔１４は最底部に設けられた１つの小孔とその回りに十字型に配された４つの小孔の合計５つが設けられた例となっている。糸状部材である固定部材２０の一端は椀状部材１０の外壁面に固定されており、他端を椀状部材１０の外側壁を沿わせつつ底面に導き、小孔１４を挿通させて一旦椀状部材１０の内部に導き入れ、さらに、最底部の小孔１４から再び外部に導き出している。糸状部材によって椀状部材１０の外壁面と２箇所の小孔１４を介して椀状部材１０の姿勢を制御して固定するため椀状部材１０を確実に固定することができる。図３の例では４つの糸状部材で４方向から固定しているためさらに確実に固定することができる。
【００３３】
図４は、図２に示した左右対称形ではない椀状部材１０ａの底部に固定部材２０を挿通しうる小孔が設けられている構成例を示す図である。図３と同様，糸状部材によって椀状部材１０ａの外壁面と２箇所の小孔１４を介して椀状部材１０ａの姿勢を制御して固定するため椀状部材１０ａを確実に固定することができる。
【００３４】
次に、椀状部材１０の収縮・伸張の動きについて述べる。
椀状部材１０は、心臓の心拍の収縮・伸張に従動して、椀状部材１０も椀内径方向さらには椀軸方向に収縮・伸張が可能なものとなっている。
椀状部材１０がまったく収縮・伸張しないものであれば、術式後に心拍が十分に復調した後、心室が収縮・伸張するが、留置した心室患部補綴具が変形しないものであるので、心室の収縮・伸張とは調和せず、心臓の動きに影響を与えるおそれがある。
一方、椀状部材１０が心臓の収縮・伸張に従動して収縮・伸張するものとすれば、術式後に心拍が十分に復調した後、留置した心室患部補綴具が心臓の動きに従動して変形するので、退院後の生活における心臓の動きに対して影響を与えることはない。
【００３５】
次に、本発明の心室患部補綴具を心室へ留置する際の工夫について述べる。
心室内に本発明の心室患部補綴具の留置方法としては、例えば、心配停止装置を用いた血液の体外循環および心筋の切開を伴う侵襲度の高い留置方法を採る事も可能ではある。しかし、本発明の目的の一つは、心配停止装置を用いた血液の体外循環および心筋の切開を伴わない低侵襲な方法にて心室中隔穿孔を補綴することができる心室患部補綴具を提供することにある。そこで、本願発明者は、心室患部補綴具を低侵襲かつ簡単な手技により心臓の心室中隔穿孔を塞ぐように心室患部補綴具を留置せしめる工夫を新たに開発した。この工夫は従来にはない斬新なものであって、低侵襲かつ簡単な手技による留置を実現したものである。
【００３６】
本発明の心室患部補綴具の留置における工夫は、椀状部材１０の構造上の工夫と、管状補助具３０という治具を利用する工夫である。
【００３７】
まず、椀状部材構造の工夫であるが、本発明の椀状部材１０は椀内径方向に管状補助具３０の内腔を通過しうる大きさにまで収縮可能となっている。
図５（ａ）は、管状補助具３０と、椀状部材１０が管状補助具３０の内腔を通過しうる大きさにまで内径方向に収縮・伸張する様子を示す図である。図５（ｂ）は椀状部材１０が収縮して管状補助具３０の内腔を通過する様子を示した図である。
本発明の椀状部材１０が収縮するサイズは管状補助具３０の内腔に相当することとなる。
管状補助具３０は、心室に挿通し、心室壁の外側と内側をつなぐ通路を形成する。
管状補助具３０の外径は、心筋を大きく傷つけずに心室壁に穿つ挿入孔に通すため３〜２０ｍｍ程度が好ましい。管状補助具３０の内腔の径はさらに管壁の厚み分小さくなる。そのため椀状部材１０は図５に示したように元のサイズ３０〜７０ｍｍ程度に比べて大幅に収縮するものとなっている。
【００３８】
管状補助具３０は、椀状部材１０を挿通し得る構造的強度があり、椀状部材１０や心筋を傷つけない平滑性あるチューブ状のものであれば良い。例えば、カテーテルなどで用いられているポリエチレンテレフタレート（ＰＥＴ、ダクロンまたはテトロン等）、ポリ四フッ化エチレン（ＰＴＦＥ）、延伸ポリ四フッ化エチレン（ｅＰＴＦＥ：expanded polytetrafluoroethylene）およびポリウレタン等の各種樹脂材料、さらには、これらのうちの２種以上を組合せたもの等、柔軟性チューブと同様のものが好ましい。
【００３９】
管状補助具３０は、心室壁の外側と内側をつなぐ通路を形成するので、逆流防止弁を備える構造とすることが好ましい。逆流防支弁の働きにより血液が心臓の心室内から逆流しないものとなる。
【００４０】
次に、本発明に係る心室患部補綴具の留置の手順について詳細に説明する。
本発明に係る心室患部補綴具の留置手順は、管状補助具３０を、開口の一端が心臓１の外側、開口の他端が心室内３となるように心臓１に対して挿通し、椀状部材１０を管状補助具３０の内腔を通過しうる大きさにまで椀内径方向に収縮させつつ、管状補助具３０の開口の一端より通し入れることにより通過させて椀状部材１０を心室内３へ導き、開口の他端を通過後に椀状部材１０を心臓の心室内３に収まる略椀状に復元し、心臓の心室内３に留置せしめる手順となる。
本発明ではさらに上記留置手順に工夫を施して低侵襲な留置方法を実現せしめている。
【００４１】
上記手順を段階を追って図を参照しつつ詳しく説明する。
図６〜図１５は、それぞれ、本発明に係る心室患部補綴具の左心室への留置手順を説明するための図である。なお、説明を分かりやすくするために、図に示す種々の要素は、一定の縮尺では描かれていない。なお、心臓１の心室中隔には心室中隔穿孔２が模式的に示されている。各手順は、必要に応じて、Ｘ線透視装置を単独で、またはＸ線透視装置および心エコー（心臓超音波）装置を組み合わせて用いる手段等により各機器同士または各機器および各器官との位置関係を視覚的に確認しつつ行う。
【００４２】
（手順１）
上行大動脈の動脈壁５に、ポート６０を設置する（図６参照）。この手順により、上行大動脈の動脈側から心臓１内への通路が確保される。
【００４３】
（手順２）
左室心尖部の左心室外壁４に逆流防止弁付のシース４０を刺通し、左心室内３に挿通する。この手順により、左心室４の底面側から左心室内３への通路が確保される（図７参照）。
【００４４】
（手順３）
逆流防止弁付のシース４０の開口を介して心臓の左室心尖部の外壁４からガイドワイヤー５０を左心室内部３に通し入れて行き、ガイドワイヤー５０の先端を上行大動脈に設けたポート６０付近に導く（図８参照）。
【００４５】
（手順４）
ポート６０の開口から上行大動脈内にバスケットカテーテル７０を挿入し、バスケットカテーテル７０でガイドワイヤー５０の先端付近を捕獲し、ポート６０を介してガイドワイヤー５０の先端を動脈外に引っ張り出す（図９、図１０参照）。
上記手順３および手順４により、左心室底面から上行大動脈にかけてガイドワイヤー５０をわたすことができる。
なお、上記手順４ではバスケットカテーテル７０を用いてガイドワイヤー５０を動脈外に引っ張り出す手順としたが、バスケットカテーテル７０を用いる方法に限られず、その他、ガイドワイヤー５０を動脈外に引っ張り出せる方法であれば採用することができる。ただし、できるだけ低侵襲な方法であることが好ましい。
【００４６】
（手順５）
次に、逆流防止弁付の管状補助具３０を以下の手順で上行大動脈から左心室内へ通して行く（図１１参照）。
管状補助具３０の開口の他端に対してガイドワイヤー５０の先端を通し入れて行き、管状補助具３０をガイドワイヤー５０に沿わせつつ進めて行き、ポート６０を介して上行大動脈から心臓内部に導き、左心室内部３に導く。管状補助具３０の先端が逆流防止弁付のシース４０が穿たれている左心室内壁に当たるまで進入させる（図１２参照）。
【００４７】
（手順６）
次に、椀状部材１０の挿入の準備を行う。まず、ガイドワイヤー５０の先端を椀状部材１０に取り付けられている固定部材２０に対して結びつける。
この例では、固定部材２０の長さを長くとり、入口となるポート６０の開口から出口となる逆流防止弁付シース４０の開口よりも長い長さとする（図１３参照）。
【００４８】
（手順７）
次に、ガイドワイヤー５０を左心室心尖部の外壁４側から引っ張ることにより、ガイドワイヤー５０の先端に固定された固定部材２０を引っ張る。
固定部材２０がポート６０から管状補助具３０を通過して逆流防止弁付シース４０を介して左心室外に出るまでガイドワイヤー５０を引っ張る。
ここで、固定部材２０の長さが短いと、この手順７におけるガイドワイヤー５０の牽引段階で椀状部材１０が固定部材２０に従動して引っ張られることとなる。この場合、椀状部材１０がガイドワイヤー５０と固定部材２０を介して引っ張られることとなる。そこで、固定部材２０の長さを十分にとりポート６０の開口から逆流防止弁付シース４０の開口までわたる長さとしている（図１３参照）。
【００４９】
（手順８）
次に、ガイドワイヤー５０と糸状部材１２との固定を解く。さらに、左心室外壁から逆流防止弁付シース４０を抜去する（図１４参照）。
【００５０】
（手順９）
左心室外壁４側から固定部材２０を引っ張りながら、椀状部材１０を内径方向に収縮させつつ底部を進行方向側に向け、管状補助具３０の開口から内部に引っ張り込んで行く。なお、上部の方向からも椀状部材１０を棒１３などで押し込むと椀状部材１０が管状補助具３０の内部を移動しやすい。
管状補助具３０はその底部が左心室内壁に到達する位置まで移動させる（図１４参照）。
【００５１】
（手順１０）
左心室外側から固定部材２０を引っ張って椀状部材１０の底部を左心室内壁に適度に固定した状態で管状補助具３０を引っ張り抜去する。ここで、管状補助具３０は抜去されるものの椀状部材１０は固定部材２０により引っ張られているので椀状部材１０のみが左心室内３に留まる。椀状部材１０は、管状補助具３０の内部に納まっている場合にはその径が収縮した状態であったが、管状補助具３０が除去されたため椀状部材１０は伸張して元の径に戻る（図１５参照）。
【００５２】
（手順１１）
最後に椀状部材１０により心室中隔穿孔を適切に塞ぐように椀状部材１０を位置決めして留置する。左心室外側から固定部材２０を適宜引っ張ってテンションを与えつつ、左心室壁に結んで固定し、椀状部材１０の底部が左心室壁に密着するように調整する（図１５参照）。
椀状部材１０の位置決めの際に、必要に応じて椀状部材１０を心筋により密着するよう調整することもできる。機構部品である固定部材２０ｂを用いて固定を調整することができ、例えば、心筋外部からフックを心筋に刺通し、フックの先端部を椀状部材１０の外表面に引っ掛けて当該フックを引っ張ることで心室中隔穿孔に密着させるように調整する。
なお、図１５において、固定部材の取り付け例として、糸状部材の固定部材を固定部材２０ａ、他の機械的な機構部品であるアンカーやフックなどの固定部材を固定部材２０ｂとして示している。
【００５３】
（手順１２）
ポート６０を生体から抜去し、ポート６０の刺通しにより開いた大動脈壁の穴を縫合する（図１５参照）。
【００５４】
上記の手順５から手順９までの手順に代え、次の手順５−２から手順９−２までの手順とすることもできる。上記の手順５から手順９までの手順であれば管状補助具３０が上行大動脈から心室まで導入された状態にて椀状部材１０を収縮させつつ管状補助具３０の一端から他端まで移動させることとなるが、次の手順５−２から手順９−２の手順であれば、施術者の手元で先に椀状部材１０を管状補助具３０の一端から他端まで移動させておくことができるので、椀状部材１０の管状補助具３０内での移動が困難な場合には、有利である。
【００５５】
（手順５−２）
椀状部材１０の挿入の準備を行う。まず、施術者の手元において、椀状部材１０を、内径方向に収縮させつつ底部が管状補助具３０の開口の一端の近傍に位置するように、逆流防止弁付の管状補助具３０の内部に挿入する（図１６参照）。
【００５６】
（手順６−２）
次に、固定部材２０を左室心尖部に導入する準備を行う。管状補助具３０の開口の当該一端に対してガイドワイヤー５０の先端を通し入れて行き、椀状部材１０の底部に設けられた小孔を通して管状補助具３０の開口他端に到達するまでガイドワイヤー５０を通す。通し終わった時点において、ガイドワイヤー５０のうち、椀状部材１０の底部近傍に位置する部分と、椀状部材１０に取り付けられている固定部材２０とを結びつけることにより固定する（図１７参照）。
この例では、固定部材２０の長さを長くとり、ともにポート６０の開口から逆流防止弁付シース４０の開口よりも長い長さとする。
【００５７】
（手順７−２）
次に、ガイドワイヤー５０を左心室心尖部の外壁４側から引っ張ることにより、ガイドワイヤー５０に固定された固定部材２０を引っ張る。
ガイドワイヤー５０のうち、固定部材２０が固定された部分がポート６０を通り左心室外に出るまでガイドワイヤー５０を引っ張る。
ここで、固定部材２０の長さが短いと、この手順６−２におけるガイドワイヤー５０の牽引段階で椀状部材１０が固定部材２０に従動して引っ張られることとなる。この場合、椀状部材１０がガイドワイヤー５０と固定部材２０を介して引っ張られることとなる。そこで、固定部材２０の長さを十分にとりポート６０の開口から逆流防止弁付シース４０の開口までわたる長さとしている（図１８参照）。
【００５８】
（手順８−２）
次に、ガイドワイヤー５０と糸状部材１２との固定を解く。
【００５９】
（手順９−２）
次に、管状補助具３０を上行大動脈から左心室内へ通して行く（図１９参照）。左心室外壁４から固定部材２０を引っ張りながら管状部材３０をガイドワイヤー５０に沿わせつつ進めて行き、ポート６０を介して上行大動脈から心臓内部に導き、左心室内部３に導く。管状補助具３０の先端が逆流防止弁付のシース４０が穿たれている左心室内壁に当たるまで進入させる（図１９参照）。ガイドワイヤー５０を引っ張り抜き去る。さらに、左心室外壁から逆流防止弁付シース４０を抜去する。
【００６０】
以上の手順に従えば、椀状部材１０を、その底部を体内側に向けて管状部材３の内腔に挿通したまま体外から体内へ導入することによって、体内への導入を低侵襲的に行うことができる。
なお、上記手順は左心室への椀状部材１０の導入手順として示したが、本発明の心室患部補綴具および補綴具セットは、椀状部材１０の右心室への導入も可能である。右心室への椀状部材１０の導入手順は、上記した左心室への椀状部材１０の導入手順１から手順１２において、「左心室」を「右心室」と読み替え、「上行大動脈」を「上行大静脈」と適宜読み替えて、同じ要領で導入し、右心室に留置すれば良い。
【００６１】
以上、本発明に係る心室患部補綴具および補綴具セットの構成例ならびに使用方法について、図面に基づき説明したが、本発明はこれらに限定されるものではなく、各部の構成は、同様の機能を有する任意の構成のものと置換することができる。また、本発明に、他の任意の構成物や機能が付加されていてもよい。
【実施例２】
【００６２】
実施例２にかかる心室患部補綴具として、椀状部材１０ｂがスプリング材１１と膜１２で形成された構成例を説明する。
【００６３】
椀状部材１０ｂの形状は、実施例１と同様、かならずしも左右対称形でなくとも良い。
【００６４】
椀状部材１０ｂのスプリング材１１は収縮・伸張を行うため様々な構造があり得る。
【００６５】
第１の構造例は、図２０に示すように椀状部材１０の外側または内側に沿って蛇行状のパターンを形成する複数の円状部材を配置させたものである。図２０の構造例では椀状部材１０ｂの外形に沿って波状のスプリングの円状部材１１ａを配置させた構成となっている。同様に、円状部材１１ａが、波状、ジグザグ状又は鋸歯状のパターンを形成した構造もあり得る。
円状部材１１ａが内径方向に収縮・伸張するスプリング材であれば、椀状部材１０ｂ全体が内径方向に収縮・伸張する構造となる。形状記憶機能を有し、超弾性である材料を用いて円状部材１１ａを形成した場合、図２２に示すように椀状部材１０ｂはスプリング材１１として内径方向に収縮・伸張を行うものとなり伸縮機能を発揮しうる。
【００６６】
第２の構造例は、図２１に示すように椀状部材１０の外側または内側に沿ってジグザグ状のパターンを形成する複数の円状部材を配置させ、かつ左右対称形ではない形状としたものである。
【００６７】
ここで、スプリング材１１の材料は、特に限定されないが、例えば、ステンレス鋼、チタン（Ｔｉ）、タンタル（Ｔａ）およびニチノール（Ｎｉ−Ｔｉ合金）等が挙げられる。
【００６８】
第２の構造例は、図２３（ａ）および図２３（ｂ）に示すように上下左右に伸縮できるようにワイヤを折り曲げてメッシュ状に編み上げて椀状部材１０ｂのスプリング材１１ｂを形成したものである。図２３（ａ）は側面図、図２３（ｂ）は正面図を示している。
メッシュ状に編み上げたワイヤが伸縮しやすいように、ワイヤの素材として形状記憶機能を有し、超弾性である材料を使用することが好ましい。このように上下左右に伸縮できる構造とすることにより、内径方向に収縮させた場合に図２４（ａ）および図２４（ｂ）に示したように伸縮機能を発揮しうる。
【００６９】
上記の第１の構造例、第２の構造例に示したような伸縮機能を備えたスプリング材１１で椀状部材１０ｂを形成することにより、本実施例２にかかる心室患部補綴具の伸縮機能が得られる。
【００７０】
円状部材やワイヤメッシュなどのスプリング材１１で椀状部材１０ｂを構成した場合は、そのままでは血液が浸透してしまうので心室中隔穿孔の補綴具として使用できない。そのため血液が浸透しないように表面処理を施す必要がある。本実施例２の心室患部補綴具はスプリング材１１の外側表面または内側表面の少なくとも一部を覆う布状部材１２を備えている。
【００７１】
図２５は、第２のワイヤメッシュを採用した場合の椀状部材１０ｂのスプリング材１１ｂの外側表面を布状部材１２により覆った心室患部補綴具の構成例を示した図である。なお、図２５においては、内部のワイヤメッシュ構造が分かりやすいように布状部材１２の一部を省略して示してある。
【００７２】
布状部材１２の素材は特に限定されず、例えば、人工血管に一般的に用いられるものが好適である。例えば、飽和ポリエステルの一種であるポリエチレンテレフタレート（ＰＥＴ、ダクロンまたはテトロン等）、ポリ四フッ化エチレン（ＰＴＦＥ）、延伸ポリ四フッ化エチレン（ｅＰＴＦＥ：expanded polytetrafluoroethylene）およびポリウレタン等の各種樹脂材料、さらには、これらのうちの２種以上を組合せたもの等が挙げられる。
【００７３】
次に、固定部材２０について述べる。
本実施例２の構成の場合、固定部材２０はスプリング材１１または布状部材１２のいずれかまたは両方に取り付けることができる。固定部材２０として糸状部材を用いた場合は、糸状部材である固定部材２０はスプリング材１１と布状部材１２とが重なり合う領域においてスプリング材１１または布状部材１２のいずれかまたは両方に取り付けられる。椀状部材１０ｂをスプリング材１１及びその外側表面の少なくとも一部を覆う布状部材１２からなる構成とした場合においては、例えば、スプリング材１１の外径側または布状部材１２の内径側に取り付けられ、スプリング材１１の底部近傍付近に設けられた２つの開口部を２度通し、さらに布状部材１２のうち、スプリング材１１の底部近傍付近に設けられた開口部を通して布状部材１２の遠位端に向かって伸ばすことができる。
【００７４】
なお、図２５に示した構成例では４本の糸状の固定部材２０は、スプリング材１１の外径側であって、椀内の上縁やや下に取り付けられ、スプリング材１１の底部近傍付近に設けられた２つの開口部を２度通し、布状部材１２のうち、スプリング材１１の底部を覆う領域に設けられた開口部を通して布状部材１２の遠位端に向かって伸ばされている。これは、本実施例２にかかる心室患部補綴具を、実施例１と同様の留置手順により留置する場合、留置手順１１の際に糸状の固定部材２０を心室外側から引っ張ることにより、椀状部材１０の姿勢を制御することを可能にする工夫である。
【００７５】
本実施例２にかかる心室患部補綴具の留置手順は、実施例１に示した留置手順と同様で良い。
【００７６】
なお、椀状部材１０ｂの留置手順において、スプリング材１１はスプリング構造により収縮・伸張するので、布状部材１２も合わせて収縮・伸張するものであることが好ましい。
【実施例３】
【００７７】
実施例３にかかる心室患部補綴具として、椀状部材１０ｃの上縁近くにいわゆる「かえし」を設けた例である。
ここで「かえし」とは、椀状部材１０ｃの上縁近くに設けられた突起状の構造物であり、心室の内壁に食い込んで椀状部材１０ｃが動かないように抵抗するものである。
【００７８】
図２６は椀状部材１０ｃの上縁近くに棘状の「かえし」構造１３ａを設けた構成例を示す図である。図２６に示すように、椀状部材１０ｃの上部の近傍には遠位方向に延びる複数の棘状の「かえし」構造１３ａが取り付けられている。椀状部材１０ｃが心室に留置されると「かえし」構造１３ａが心室内壁に食い込んで椀状部材が安定して留置される。
【００７９】
図２７は「かえし」構造１３の別の好適な構造例を示す図であって、椀状部材１０ｃの上縁近くに山の尖った箇所を「かえし」構造１３ｂとした構成例を示す図である。図２７に示す「かえし」構造１３ｂは山の尖った箇所がかえし構造となっている。
【００８０】
本実施例３にかかる心室患部補綴具の留置手順は、実施例１に示した留置手順と同様で良い。
【００８１】
なお、椀状部材１０ｃの留置手順において、椀状部材１０ｃは管状補助具３０内を通過させる必要があるので、「かえし」構造１３が管状補助具３０の内部に引っ掛かって通過できない、または、通過しにくいものであれば、椀状部材１０ｃの留置手順を阻害するものとなるので好ましくない。そこで、「かえし」構造１３が椀状部材１０ｃの収縮状態において管状補助具３０の内壁に引っ掛からないような状態に折り畳めるように設計しておくことが好ましい。
【００８２】
以上、本発明の心室患部補綴具の構成例における好ましい実施例を図示して説明してきたが、本発明の技術的範囲を逸脱することなく種々の変更が可能であることは理解されるであろう。
【産業上の利用可能性】
【００８３】
本発明の心室患部補綴具は、心室中隔穿孔を有する患者に対して心室中隔穿孔を補綴する治具として適用することができる。
【図面の簡単な説明】
【００８４】
【図１】本発明の実施例１にかかる心室患部補綴具の構成例を示す図
【図２】左右対称形ではない椀状部材１０ａの構成例を示した図
【図３】図１に示した椀状部材１０の底部に固定部材２０を挿通しうる小孔１４が設けられている構成例を示す図
【図４】図２に示した左右対称形ではない椀状部材１０ａの底部に固定部材２０を挿通しうる小孔が設けられている構成例を示す図
【図５】（ａ）は管状補助具３０と椀状部材１０が管状補助具３０の内腔を通過しうる大きさにまで内径方向に収縮・伸張する様子を示す図、（ｂ）は椀状部材１０が収縮して管状補助具３０の内腔を通過する様子を示した図
【図６】本発明に係る心室患部補綴具の留置手順を説明する図（手順１）
【図７】本発明に係る心室患部補綴具の留置手順を説明する図（手順２）
【図８】本発明に係る心室患部補綴具の留置手順を説明する図（手順３）
【図９】本発明に係る心室患部補綴具の留置手順を説明する図（手順４その１）
【図１０】本発明に係る心室患部補綴具の留置手順を説明する図（手順４その２）
【図１１】本発明に係る心室患部補綴具の留置手順を説明する図（手順５その１）
【図１２】本発明に係る心室患部補綴具の留置手順を説明する図（手順５その２）
【図１３】本発明に係る心室患部補綴具の留置手順を説明する図（手順６、手順７）
【図１４】本発明に係る心室患部補綴具の留置手順を説明する図（手順８、手順９）
【図１５】本発明に係る心室患部補綴具の留置手順を説明する図（手順１０、手順１１、手順１２）
【図１６】施術者の手元において椀状部材１０を管状補助具３０の内部に通しておく様子を示す図
【図１７】ガイドワイヤー５０と椀状部材１０に取り付けられている固定部材２０とを結びつけて固定する様子を示す図
【図１８】ガイドワイヤー５０に固定された固定部材２０を引っ張る様子を示す図
【図１９】管状補助具３０をその底部が左心室内壁に到達する位置まで移動させる様子を示す図
【図２０】本発明の実施例２にかかる、外側または内側に沿って蛇行状のパターンを形成する複数の円状部材を配置させたスプリング材１１ａの構造例を示す図
【図２１】左右対称形でないスプリング材１１ａの構造例を示す図
【図２２】図２０にかかるスプリング材１１ａを収縮させた様子を示す図
【図２３】本発明の実施例２にかかる、上下左右に伸縮できるようにワイヤを折り曲げてメッシュ状に編み上げてスプリング材１１ｂの構造例を示す図
【図２４】図２３にかかるスプリング材１１ｂを収縮させた様子を示す図
【図２５】第２のワイヤメッシュを採用した場合の椀状部材１０ｂのスプリング材１１ｂの表面を布状部材１２により覆った心室患部補綴具の構成例を示した図
【図２６】椀状部材１０ｃの上縁近くに棘状の「かえし」構造１３ａを設けた構成例を示す図
【図２７】椀状部材１０ｃの上縁近くに山の尖った箇所を「かえし」構造１３ｂとした構成例を示す図
【符号の説明】
【００８５】
１０，１０ａ，１０ｂ，１０ｃ  椀状部材
１１ａ，１１ｂ  スプリング材
１２  布状部材
１３ａ，１３ｂ  かえし構造
２０  固定部材
３０  管状補助具
４０  逆流防止弁付のシース
５０  ガイドワイヤー
６０  ポート
７０  バスケットカテーテル
【図１】
0005282185.tif 000002
【図２】
0005282185.tif 000003
【図３】
0005282185.tif 000004
【図４】
0005282185.tif 000005
【図５】
0005282185.tif 000006
【図６】
0005282185.tif 000007
【図７】
0005282185.tif 000008
【図８】
0005282185.tif 000009
【図９】
0005282185.tif 000010
【図１０】
0005282185.tif 000011
【図１１】
0005282185.tif 000012
【図１２】
0005282185.tif 000013
【図１３】
0005282185.tif 000014
【図１４】
0005282185.tif 000015
【図１５】
0005282185.tif 000016
【図１６】
0005282185.tif 000017
【図１７】
0005282185.tif 000018
【図１８】
0005282185.tif 000019
【図１９】
0005282185.tif 000020
【図２０】
0005282185.tif 000021
【図２１】
0005282185.tif 000022
【図２２】
0005282185.tif 000023
【図２３】
0005282185.tif 000024
【図２４】
0005282185.tif 000025
【図２５】
0005282185.tif 000026
【図２６】
0005282185.tif 000027
【図２７】
0005282185.tif 000028